(57)【要約】      （修正有）【課題】容易にルアーを取り出すことができるルアーケースを提供する。【解決手段】ルアーを収納した仕切部１３，１４が設けられた箱体形状のケース１０であって、各仕切部１３，１４の底面板２３，２４の全体又は一部を上下方向に移動自在とした。各仕切部１３，１４の底面板２３，２４の側面部の上下方向に複数の突条部２５を設け、これらの突条部２５に対応する仕切部１３，１４の側面部に溝条部を設け、底面板２３，２４の全体が上下方向に移動できる。底面板２３，２４の角部に底面板と略直角方向に延長するガイド部材を立設して上下摺動可能としてもよい。更に底面板２３，２４の一方端を軸着し、他方端を上下に移動させてもよい。全体が上下に移動する底面板２３，２４にあっては、仕切部１３，１４の上端周縁部から内側方向に向けて突出部１８を設け、底面板２３，２４が仕切部１３，１４内から外部に離脱しないようにした。【選択図】図１
0003182529.tif 000002
【実用新案登録請求の範囲】
【請求項１】
釣り用餌に偽装した個々のルアーを収納できる仕切部が設けられた箱体形状のケースにおいて、
各仕切部の底面板の全体又は一部を上下方向に移動自在としたことを特徴とするルアーケース。
【請求項２】
各仕切部の底面板の側面部又は仕切部の内側側面部の上下方向に複数の突条部を設け、これらの突条部に対応する仕切部又は底面板の側面部に溝条部を設け、
底面板の全体が上下方向に移動できることを特徴とする請求項１に記載のルアーケース。
【請求項３】
前記底面板の角部に底面板と略直角方向に延長するガイド部材を立設し、これらのガイド部材が仕切部の内角部と適合して底面板の全体が上下に移動できることを特徴とする請求項１に記載のルアーケース。
【請求項４】
前記底面板の一方の短辺側の両側に係合部を設け、これら係合部に対応する仕切部の側面部には前記係合部と相互に係合する係合受部を設け、
これにより底面板が前記係合部及び係合受部を中心として回動するように構成して底面板の他方の短片側が上下方向に移動することを特徴とする請求項１に記載のルアーケース。
【請求項５】
前記各仕切部の上端周縁部から仕切部の内側方向に突出する突出部を設け、
これにより各底面板を上方に移動させた際に、各底面板が仕切部内から外部に離脱しないようにしたことを特徴とする請求項１乃至３の何れか１項に記載のルアーケース。
【考案の詳細な説明】
【技術分野】
【０００１】
本考案は、釣り用の疑似餌（ルアー）を収納するルアーケースに関するものである。
【背景技術】
【０００２】
現在、釣り用ルアーとしては各種のものがあるが、そのハードルアーとして基本的なものは、プラスチック、ウッド或いは金属等の素材からなり、１本又は複数本の針が付加され、釣り糸（ライン）を結束するラインアイ（結束環）が設けられており、その動きや色、匂い等々により直接魚を誘う偽装が施されたものである。
【０００３】
このようなルアーの収納ケース又は収納箱としては、箱体形状を有するものからなり、この箱体に個々のルアーを収納できる複数の仕切部を設けたものが一般的である。
また下記特許文献に記載のものを挙げることができる。
下記特許文献１に記載の疑似餌箱は、使用に便利なものを提供することを課題とし、その構成は、箱本体、上蓋及び位置決めソフトパッドを具え、箱本体がプラスチック一体射出成形で形成され、箱本体内に均等に複数の収容凹溝と係合溝が配設され、疑似餌の収納に供され、整然と疑似餌のフックを位置決めでき、収納取り出しに便利で実用性を向上させたものである。
【先行技術文献】
【特許文献】
【０００４】
【特許文献１】実用新案登録第３０９８７９９号公報
【考案の概要】
【考案が解決しようとする課題】
【０００５】
上記従来の仕切部を有する第１のルアーケースにおいては、箱本体部の各仕切部からルアーを取り出す際に、取り出しにくいという問題がある。
即ち、指でルアーを把持する際に、仕切部の側壁部とルアーとの間に指が入り難く、ルアーを把持しずらいのである。
【０００６】
他方、上記特許文献に記載のルアーケースにあっては、箱本体内に仕切部はなく、収容凹溝としている関係上、取り出し易いようではあるが、フックの部分をパッドに引っ掛けているためにやはり取り出し難いし、他のルアーとの絡み合いという問題も残るのである。
【０００７】
そこで、本考案においては、上記従来のような仕切部が設けられ、これらの仕切部内に個々のルアーを収納でき、しかもこれら仕切部内に収納された個々のルアーの取り出しが極めて容易なルアーケースを提供することをその課題としている。
【課題を解決するための手段】
【０００８】
上記課題を解決するために、本考案の第１のものは、釣り用餌に偽装した個々のルアーを収納できる仕切部が設けられた箱体形状のケースにおいて、各仕切部の底面板の全体又は一部を上下方向に移動自在としたことを特徴とするルアーケースである。
【０００９】
本考案の第２のものは、上記第１の考案において、各仕切部の底面板の側面部又は仕切部の内側側面部の上下方向に複数の突条部を設け、これらの突条部に対応する仕切部又は底面板の側面部に溝条部を設け、底面板の全体が上下方向に移動できることを特徴とするルアーケースである。
【００１０】
本考案の第３のものは、上記第１の考案において、前記底面板の角部に底面板と略直角方向に延長するガイド部材を立設し、これらのガイド部材が仕切部の内角部と適合して底面板の全体が上下に移動できることを特徴とするルアーケースである。
【００１１】
本考案の第４のものは、上記第１の考案において、前記底面板の一方の短辺側の両側に係合部を設け、これら係合部に対応する仕切部の側面部には前記係合部と相互に係合する係合受部を設け、これにより底面板が前記係合部及び係合受部を中心として回動するように構成して底面板の他方の短片側が上下方向に移動することを特徴とするルアーケースである。
【００１２】
本考案の第５のものは、上記第１乃至第３の考案の何れかにおいて、前記各仕切部の上端周縁部から仕切部の内側方向に突出する突出部を設け、これにより各底面板を上方に移動させた際に、各底面板が仕切部内から外部に離脱しないようにしたことを特徴とするルアーケースである。
【考案の効果】
【００１３】
本考案の第１のものにおいては、ルアーを収納するケースの個々の仕切部（収納部）の底面板の全体又はその一部が上下方向に移動自在に構成されているために、収納されたルアーを取り出す際に、手の指を仕切部内に入れてルアーを保持する必要が無く、底面板自体をその下方位置から上方に移動させ、ルアーを仕切部の外に出した状態で、ルアーを把持することができることとなるのである。
従って、手の指を仕切部内部に入れる必要がなく、ルアーを外に出した状態で手に取ることが出来ることとなり、極めて容易にルアーをケースから取り出すことができるのである。
【００１４】
本考案の第２のものにおいては、底面板と仕切部の内側側面部、つまり内壁面との間の構造をより限定したものである。
即ち、各仕切部の底面板の側面部又は仕切部の内側側面部の上下方向に複数の突条部を設け、これらの突条部に対応する仕切部又は底面板の側面部に溝条部を設けることにより、
これらの突条部と溝条部との適合により底面板の全体が上下方向に移動又は摺動できるようにしたものである。
その効果は上記第１の考案と同じである。
【００１５】
本考案の第３のものにおいても、底面板と仕切部との間の構造をより限定したものである。
即ち、前記底面板の角部に底面板と略直角方向に延長するガイド部材を立設し、これらのガイド部材が仕切り部の内角部と適合して底面板の全体が上下に移動又は摺動できるようにしたものである。
その効果は、上記第１の考案と同じである。
【００１６】
本考案の第４のものにおいては、上記第２又は第３の考案と異なり、底面板の全部が上方に移動するのではなく、その一部が上下に移動するものである。
即ち、底面板の一方の短辺側の両側に係合部を設け、これら係合部に対応する仕切部の側面部には前記係合部と相互に係合する係合受部を設け、これにより底面板が係合部及び係合受部を中心として回動するように構成して底面板の他方の短辺側が上下方向に移動するようにしたものである。
従って、底面板の一方端部を上方に移動させて収納されたルアーの一部を仕切部の外部に露出させて取り出すことができることとなるのである。
【００１７】
本考案の第５のものにおいては、上記第１乃至第３の考案において、各仕切部の上端周縁部から仕切部の内側方向に突出する突出部を設け、これにより各底面板を上方に移動させた際に、各底面板が仕切部内から外部に離脱しないようにしたものである。
これにより、底面板の全体が仕切部内部で上方に移動するが、その仕切部の内部から外部に飛び出してしまうことが防止されるのである。即ち、同時に収納されたルアーが仕切部の外部に飛び出してしまうことが防止されることとなる。
【図面の簡単な説明】
【００１８】
【図１】本考案のルアーケースに係る第１実施形態を図示しており、その（Ａ）が全体平面図、その（Ｂ）が横断面図（ハッチング省略）、その（Ｃ）が小さい底面板の正面図、その（Ｄ）が小さい底面板の平面図、その（Ｅ）が大きい底面板の平面図である。
【図２】本考案の底面板に係る第２実施形態を図示する斜視説明図である。
【図３】本考案の底面板に係る第３実施形態を図示する斜視説明図である。
【考案を実施するための形態】
【００１９】
以下、添付の図面と共に本考案の実施形態について説明する。
図１は、本考案のルアーケースに係る第１実施形態を図示しており、その（Ａ）が全体平面図、その（Ｂ）が横断面図（ハッチング省略）、その（Ｃ）が小さい底面板の正面図、その（Ｄ）が小さい底面板の平面図、その（Ｅ）が大きい底面板の平面図である。
【００２０】
本考案の第１実施形態に係るルアーケース１０は、平面視長方形で所定の上下方向高さを有する直方体形状を有する箱体のものからなる。
平面視略中央上部に横方向の仕切１１を設け、縦方向には所定間隔で縦仕切１２を複数設け、上下二段に小さい仕切部１３と大きい仕切部１４を多数設けている。
【００２１】
それぞれの仕切部１３、１４内には、異なる大きさと異なる形態の各種のルアーＬを収納することができる。
仕切部１３、１４の底面板２３、２４は別体に形成され、それぞれの仕切部１３、１４の内部で上下方向に移動又は摺動することができる。
【００２２】
図１（Ｂ）の矢印Ｙに示した通り、右から４つ目の仕切部１４に示したように、底面板２４は上方（及び下方）に平行移動できる。
このように底面板２３、２４は、全ての仕切部１３、１４において上下方向に平行移動させることができる。
このように底面板２３、２４を上方に移動させる際は、底面板２３、２４の底面を手の指で上方に押し上げれば容易に可能となる。
【００２３】
図１（Ｃ）及び（Ｄ）に表れている通り、底面板２３の各側面部の外表面には上下方向に突条部２５が複数本設けられている。
他方、これらの突条部２５に対応する仕切部１３、１４の内側側面（内壁面）には上下方向に溝条部を形成し、相互に適合する（図には表れていない。）。
これらの突条部２５と溝条部との相互の適合又は係合により、底面板２３、２４は仕切部１３、１４内で案内され上下方向に移動又は摺動できる。
【００２４】
図１（Ｅ）に図示したのは、大きい仕切部１４の底面に配置される底面板２４の平面図であり、この底面板２４の各側面部の外表面にも上記同様に突条部２５が複数形成され、図には表れていないが、仕切部１４の内側側面（内壁面）には溝条部が形成され、相互に適合し、底面部２４が上下方向に移動できるのである。
これらの突条部及び溝条部は、相互に逆に、即ち、突条部を仕切部側に、溝条部を底面板の側に設けることも可能である。
【００２５】
上記底面板２３、２４は、それぞれ小さい仕切部１３、及び、大きい仕切部１４の平面視形状と合致する平面視形状を有する長方形のものから成るが、図１（Ｂ）及び（Ｃ）から解る通り、この第１実施形態では、その外周に起立部が形成され、深さの浅い箱体形状を有するものから形成されている。
このように、底面板２３、２４は、必ずしも完全な平面板でなくともよく、上記第１実施形態のような中央に凹所を有するものであってもよい。
【００２６】
更に、上記第１実施形態におていは、仕切部１３、１４のそれぞれの上方端縁部において、その内側方向に突出する突出部１８を適宜箇所に複数設けている。
これらの突出部１８の存在により、底面板２３、２４は、各仕切部１３、１４の内部から外部に離脱することができないのである。
【００２７】
これら突出部１８の位置及び数は自由に設計することができ、その形態も全く自由に設計することができる。
勿論のことであるが、底面板２３、２４が各仕切部１３、１４の内部からケース１０の下方に抜け落ちてしまわないことは当然のことである。
【００２８】
この底面板２３、２４が仕切部１３、１４から抜け落ちてしまえば、既に収納部としての仕切部１３、１４の意味を成さず、仕切部１３、１４としてはこれらの底面板２３、２４は、その収納部の底面を構成する正に底面板１３、１４だからである。
【００２９】
この底面板１３、１４が下方に抜け落ちないための手段は、適宜自由に設計することができるが、図１のように、各仕切部１３、１４の下端周縁部の適宜位置に内側方向に延長する延長部を設けるのも一つの手段であるが、従来からあるどのような形態のものであってもよい。
【００３０】
図２は、本考案の底面板に係る第２実施形態を図示する斜視説明図である。
この図２に図示した底面板２６は、上記実施形態に係るルアーケース１０の仕切部１４にそのまま組み付けることができるものである。
その構成は、仕切部１４と平面視略同一の長方形形状を有する底板２６ｂの４つの角部にガイド部材としてのガイド棒２７を底板２６ｂと略直角に立設したものである。
【００３１】
これら４つのガイド棒２７の存在により、これらのガイド棒２７が仕切部１４の内部の４つの内角部に沿って上下方向に摺動移行して、底面板２６の全体が仕切部１４の内部で上下方向に移動できることとなるのである。
仕切部１４の上端周縁部に設けた突出部１８の存在により、この底面板２６も仕切部１４の内部から外部に離脱する恐れはない。
【００３２】
このように底面板と仕切部との間の適合構造は、上記第１実施形態のような突条部と溝条部との適合ばかりでなく、上記第２実施形態のようなガイド棒と仕切部の内角部との適合によるものであってもよいものである。
【００３３】
また、ガイド部材は、上記のようなガイド棒２７ばかりでなく、他の形態のもの、例えば横断面Ｌ字形状のもの、或いは丸棒のごときものであってもよく、仕切部の内周角部と適合できる形態のものであればよい。
更に、ガイド部材は、角部のみでなく、底面板２６の底板２６ｂの側縁の中間部分に適宜数設けることもできる。
【００３４】
図３は、本考案の底面板に係る第３実施形態を図示する斜視説明図である。
この図に示した底面板３０は、上記実施形態のようにその全体が上下方向に移動するのではなく、その一部が上下方向に移動するものである。
【００３５】
即ち、この底面板３０は、仕切部１４と平面視略同一形状の長方形形状の底板３０ｂを有し、その長辺３０ｎの手前側（短辺側）の両端部に突起部３２、３２を設け、仕切部１４の内壁面の対応する位置には受容受部（図には表れていない。）を設けることにより、底面板３０の一方端部を軸着したように、底面板３０の他方端部を上下方向に移動可能に形成したものである。
【００３６】
このような構成により、底面板３０の底面側を手の指で上方に押し上げることにより、底面板３０の軸着部（一方の短辺側）が回動して、この軸着部と反対側の端部（他方短辺側）が上方に移動し、内部に収納されたルアーを仕切部１４内部から外部に押し上げ、簡単にルアーを仕切部内部から取り出すことができることとなるのである。
【００３７】
以上、本考案の実施形態について説明したが、本考案においては以下の通り種々設計変更することができる。
先ず本考案に係るルアーケースの形状及びサイズは、適宜必要に応じて設計変更することができる。
ケースの材質は、合成樹脂製のものが相応しいが、木製或いは金属製のものであってもよい。
【００３８】
第１実施形態に係る底面板に設けた突条部及び仕切部の内壁面に設けた溝条部の横断面形状も適宜所望の形状に設計することができる。
その数及び大きさも自由に設計することができる。
底面板の厚みも自由であり、第１実施形態のようにその全周縁部に起立部を設け、中央部を窪ませた形態とするのも自由である。
【００３９】
上記のように、底面板の全周縁部に起立部を設けてその中央部を窪ませるのではなく、その逆にその中央部を膨出させた形態とすることも可能である。
より詳しくは、底面板の全周縁部の起立部を下向きに延長させて、即ち、上記実施形態１と上下逆になるように形成することも可能である。
更に、この周縁部の下向き延長部を両側の側縁部に設け、この下向き延長部を斜め下方向に形成することもできる。
【００４０】
第２実施形態に係る底面板にあっては、そのガイド部材は、底面板の底板と略直角に上方に起立する棒状体、丸棒体、断面Ｌ字形状のもの等、適宜形態のものを採用することができ、その数も少なくとも４つの角部に存在すればよく、底板の側縁部にもさらに設けて５つ以上とすることもできる。
【００４１】
第３実施形態に係る底面板にあっては、その一方端部の軸着部の構成も自由に設計変更することができ、単なる突起部と凹所の組み合わせでなく、１本のピンを使用して実際に軸着する構成としてもよい。
この第３実施形態に係る底面板にあっては、仕切部の上端周縁部に設ける突出部は設ける必要はない。軸着部により底面板が仕切部内から外部に離脱することがないからである。
【００４２】
更に、この第３実施形態において、底面板の短辺側を軸着するのはなく、底面板の長辺側の一方の側縁部を回動自在に設け、長辺側の他方の側縁部を上下方向に移動可能に形成することもできる。
この形態においても、長辺側の他方の側縁部を下から押し上げて、内部に収納されているルアーを仕切部の外に押し出すことができるのである。
【００４３】
以上、本考案は、複数の収納部としての仕切部を設けたルアーケースにおいて、当該仕切部の底面板の全体又は一部を上下方向に移動させることができ、これにより仕切部内部に収納されたルアーを極めて容易に仕切部から取り出すことがきるができるルアーケースを提供することができたものである。
【符号の説明】
【００４４】
１０  ルアーケース
１３、１４  仕切部
１８  突出部
２３、２４、２６、３０  底面板
２５  突条部
２７  ガイド棒（ガイド部材）
３２  突起部
Ｌ  ルアー
【図１】
0003182529.tif 000003
【図２】
0003182529.tif 000004
【図３】
0003182529.tif 000005